【事件の表示】
　平成　１年特許願第　１５８６９号「映像記録再生装置」拒絶査定に対する審判事件［平成　２年　８月　２日出願公開、特開平　２−１９５７８３、平成　７年　９月　６日出願公告、特公平　７−　８３４５８］について、次のとおり審決する。
【結　論】
　本件審判の請求は、成り立たない。
【理　由】
［１］手続の経緯、本願発明
　本願は、平成１年１月２４日の出願であって、請求項１に係る発明（以下「本願発明」という。）は、出願公告後の平成８年８月２９日付け、平成１１年７月１５日付け、及び平成１２年８月４日付け手続補正書により補正された明細書および図面の記載からみて、特許請求の範囲の請求項１に記載された次のとおりのものである。
　「映像記録信号及び再生映像信号を、輝度信号と搬送色信号とに分離した状態、及び、輝度信号と搬送色信号とを混合した状態で、テレビ受像機に出力する映像記録再生装置において、
　入力複合映像信号を輝度信号と搬送色信号とに分離するＹ／Ｃ分離回路と、
　前記Ｙ／Ｃ分離回路からの輝度信号及び搬送色信号を記録媒体に記録するための記録回路と、
　前記記録媒体から読み出された信号を輝度信号及び搬送色信号として再生するための再生回路と、
　記録モード時には前記Ｙ／Ｃ分離回路からの輝度信号及び搬送色信号を、再生モード時には前記再生回路からの輝度信号及び搬送色信号を、それぞれ切換出力する出力信号切換回路と、
　前記テレビ受像機の画面上に表示するための各種の文字信号を発生する文字信号発生回路と、
　前記出力信号切換回路によって切換出力された輝度信号と前記文字信号発生回路によって発生された文字信号とを混合する文字信号混合回路と、
　前記文字信号発生回路によって発生された文字信号に基づいて、前記出力信号切換回路によって切換出力された搬送色信号の内、前記文字信号に対応する部分の搬送色信号を消去する搬送色信号消去回路と、
　前記文字信号混合回路により文字信号が混合された輝度信号と前記搬送色信号消去回路により文字信号に対応する部分が消去された搬送色信号とを加算する加算器とを備え、
　前記文字信号混合回路により文字信号が混合された輝度信号を前記テレビ受像機の輝度信号入力端子に、前記搬送色信号消去回路により文字信号に対応する部分が消去された搬送色信号を前記テレビ受像機の搬送色信号入力端子にそれぞれ出力するとともに、
　前記加算器より出力される複合ビデオ信号を前記テレビ受像機のビデオ入力端子に出力することを特徴とする映像記録再生装置。」
　
［２］引用例
　これに対して、当審において平成１２年６月９日付けで通知した拒絶の理由に引用した特開昭６０−２２９４８０号公報（昭和６０年１１月１４日出願公開、以下「引用例１」という。）には、「ビデオテープレコーダ」に関し、従来例として、
　「従来のＶＴＲにおいて、その操作状態、もしくはタイマ表示、テープカウンタ表示等をモニターＴＶのスクリーン上で表示する場合第３図に示すように、記録時にはチューナ２で復調されたビデオ信号、再生時には再生回路５で復調されたビデオ信号が、スイッチ６を介し文字信号加算回路７で、文字信号発生器１０で得た文字信号と混合される。混合された信号は、増巾器８を介したのちビデオ信号をＴＶ電波信号に変換するＲＦ変調器９に供給され、ＴＶ電波信号として出力端１２に出力される。」（公報１頁右下欄２行〜１２行、第３図参照）と記載されている。
　同じく引用した、「テレビ技術、１９８７年８月号、ｐ．１９〜２３」（以下「引用例２」という。）には、Ｓ−ＶＨＳディジタルハイファイビデオに関し、
　「（２）Ｓ映像入力端子、Ｓ映像出力端子
　輝度信号と色信号をセパレート化することで、相互干渉の発生を防止し、大幅に画質向上しています。」（１９頁右欄１４行〜１６行）、
　「３．Ｙ／Ｃ分離入・出力回路
　Ｓ映像入力端子、Ｓ映像出力端子に対応して、Ｙ／Ｃ（輝度信号／色信号）分離入・出力回路を開発しました。第２図に、Ａ−９５０ＳＶの信号の流れを示します。・・・Ｓ−ＶＨＳ方式の高解像度画像は、通常の映像入・出力端子を使用しても十分楽しめます。しかし、Ｓ映像入力端子、Ｓ映像出力端子を利用すると、さらにつぎのようなメリットがあります。・・・これらは、信号源（テレビカメラなど）からビデオを経由し、テレビモニターまですべてＹ／Ｃ分離化システムとすると、はっきりとその良さがわかります。」（２１頁右欄１８行〜２２頁右欄１０行）、と記載され、
　上記第２図には、「チューナ」または「映像入力端子」からの入力複合映像信号を輝度信号Ｙと色信号Ｃとに分離する「Ｙ／Ｃ分離くし形フィルタ」と、「記録・再生処理回路」と、出力端子として「映像出力」「Ｓ映像出力端子」からなるＳ−ＶＨＳビデオ装置が記載され、「Ｙ／Ｃ分離くし形フィルタ」から出力される輝度信号Ｙと色信号Ｃは、「記録・再生処理回路」側に出力されると共に、「記録・再生処理回路」を介さずに「Ｓ映像出力端子」側に出力されること、記録（ＲＥＣ）する際には、分離された輝度信号Ｙと色信号Ｃを「記録・再生処理回路」に入力して記録され、再生（ＰＬＡＹ）する際には、「記録・再生処理回路」から分離された輝度信号Ｙと色信号Ｃが再生されて「Ｓ映像出力端子」から出力されること、また輝度信号と色信号は合成されて「映像出力端子」から出力されることが、信号の流れとして示されている。
　同じく引用した特開昭６１−１９５０９２号公報（昭和６１年８月２９日出願公開、以下「引用例３」という。）には、
　「磁気記録再生装置、テレビジョン装置などに利用される複合映像信号へ白色の文字や図形を挿入するための信号挿入装置」（１頁左下欄１１行〜１３行）に関し、
　「複合映像信号から分離された輝度信号に文字や図形の信号を挿入すると共にこの挿入期間には複合映像信号中の色信号を除去した信号を出力するように構成した信号挿入装置。」（特許請求の範囲）が記載され、詳細には、
　「分離回路７で分離された色信号は、第２図の入力端子４に供給される制御信号によって開閉するスイッチ８を介して第２の入力端子４が”Ｌ”レベルのときだけ合成回路９へ送られる」（２頁左下欄１８行〜右下欄１行）と記載されている。
　
［３］対比・判断
［３−１］本願発明と引用例１に記載された発明とを対比すると、
引用例１の「ＶＴＲ」「スイッチ６」「文字信号発生器１０」は、本願発明の「映像記録再生装置」「出力信号切換回路」「文字信号発生回路」にそれぞれ相当しているので、両者は、「テレビ受像機に出力する映像記録再生装置において、記録回路と、再生回路と、記録モード時には入力側の信号を、再生モード時には再生回路からの信号を、それぞれ切換出力する出力信号切換回路と、テレビ受像機の画面上に表示するための各種の文字信号を発生する文字信号発生回路と、出力信号切換回路によって切換出力された信号と文字信号発生回路によって発生される信号とを混合する回路とを備え、文字信号の混合された信号はテレビ受像機に出力される」点で共通しているが、次の点で相違している。
（ア）本願発明は、「記録映像信号及び再生映像信号を、輝度信号と搬送色信号とに分離した状態、及び、輝度信号と搬送色信号とを混合した状態で、テレビ受像機に出力する映像記録再生装置」であり、記録再生に際しては、輝度信号と搬送色信号とに分離して行うものであって、「入力複合映像信号を輝度信号と搬送色信号とに分離するＹ／Ｃ分離回路」を有し、上記「出力信号切換回路」は「Ｙ／Ｃ分離回路からの輝度信号及び搬送色信号」と「再生回路からの輝度信号及び搬送色信号」を「それぞれ」切換出力するものであるのに対し、引用例１には、Ｙ／Ｃ分離する構成に関して特に記載されていない点、
（イ）上記「出力信号切換回路によって切換出力された信号と文字信号発生回路によって発生される信号とを混合する回路」を備え、「文字信号の混合された信号はテレビ受像機に出力される」ことに関して、本願発明は、「出力信号切換回路によって切換出力された輝度信号と文字信号発生回路によって発生される信号とを混合する文字信号混合回路」と「出力信号切換回路によって切換出力された搬送色信号の内、文字信号に対応する部分の搬送色信号を消去する搬送色消去回路」を備え、「文字信号混合回路により文字信号が混合された輝度信号と搬送色信号消去回路により文字信号に対応する部分が消去された搬送色信号とを加算する加算器とを備え、前記文字信号混合回路により文字信号が混合された輝度信号を前記テレビ受像機の輝度信号入力端子に、前記搬送色信号消去回路により文字信号に対応する部分が消去された搬送色信号を前記テレビ受像機の搬送色信号入力端子にそれぞれ出力するとともに、前記加算器より出力される複合ビデオ信号を前記テレビ受像機のビデオ入力端子に出力する」ものであるのに対し、引用例１には、特に記載されていない点。
［３−２］相違点について、以下検討する。
［相違点（ア）について］
　引用例２には、映像記録再生装置において、記録映像信号及び再生映像信号を、輝度信号と搬送色信号とに分離した状態、及び、輝度信号と搬送色信号とを混合した状態で、テレビ受像機に出力するものが、記載されており、かつ、上記映像記録再生装置において、入力複合映像信号を輝度信号と搬送色信号とに分離し、記録及び再生を、輝度信号と搬送色信号とに分離して行い、記録映像信号及び再生映像信号を、輝度信号と搬送色信号とに分離した状態でテレビ受像機に出力することが記載されており、引用例２の技術は、引用例１と同じく具体的にはビデオテープレコーダである磁気録再生装置の改良に関するものであるので、引用例１に記載された発明の装置において、輝度信号Ｙと搬送色信号Ｃとを分離して処理する具体的な構成である相違点（ア）の構成を採用することは、引用例２の記載に基づいて当業者が適宜なし得ることである。
［相違点（イ）について］
　磁気記録再生装置などにおいて、映像信号に文字信号を混合するに際し、輝度信号と文字信号とを混合し、色信号については文字信号に対応する色信号を除去する技術が、上記引用例３に記載されている。
　よって、引用例１に記載された発明において、引用例２に記載された輝度信号と搬送色信号を分離して記録再生し出力する構成を採用する際、文字信号を混合する回路として、引用例３に記載された上記技術を適用して、「出力信号切換回路によって切換出力された輝度信号と文字信号発生回路によって発生される信号とを混合する文字信号混合回路」と「出力信号切換回路によって切換出力された搬送色信号の内、文字信号に対応する部分の搬送色信号を消去する搬送色消去回路」を備えることは、当業者が容易に想到しうることである。
　そして、上記文字信号を混合する回路からの出力信号を、輝度信号と搬送色信号を分離したままの状態、及び両信号を加算混合した状態でテレビ受像機側へ出力するように、「文字信号混合回路により文字信号が混合された輝度信号と搬送色信号消去回路により文字信号に対応する部分が消去された搬送色信号とを加算する加算器とを備え、前記文字信号混合回路により文字信号が混合された輝度信号を前記テレビ受像機の輝度信号入力端子に、前記搬送色信号消去回路により文字信号に対応する部分が消去された搬送色信号を前記テレビ受像機の搬送色信号入力端子にそれぞれ出力するとともに、前記加算器より出力される複合ビデオ信号を前記テレビ受像機のビデオ入力端子に出力する」ことは、上記引用例２の磁気記録再生装置が、テレビ受像機に出力するための出力端子として、輝度信号と搬送色信号とを分離した状態で出力するためのＳ映像出力端子と、輝度信号と搬送色信号とを混合した状態で出力するための映像出力端子を備え、テレビ受像機側の輝度信号入力端子・色信号入力端子・映像入力端子に対応させているものであるので、当業者が適宜なし得る設計的事項にすぎない。
　本願発明の作用効果は、上記引用例１〜３に記載された発明から当業者であれば予測することができる程度のものであって、格別のものではない。
　よって、本願発明は、引用例１〜３に記載された発明に基づいて当業者が容易に想到し得たものである。
　
［４］むすび
　したがって、本願発明は、本願出願前に頒布された刊行物である引用例１ないし３に記載された発明に基いて当業者が容易に発明をすることができたものであるから、特許法第２９条第２項の規定により特許を受けることができない。
　よって、結論のとおり審決する。